(57)【要約】      （修正有）【課題】内側地盤の掘削作業や排土作業に悪影響を与えずに、低コストに地中構造物の躯体を構築できる、地中構造物構築用の足場装置を提供する。【解決手段】直下地盤を掘削して沈設した地中構造物５０の上部にコンクリートを現場打ちするための足場装置１０であって、地中構造物の外側地盤Ｇ１に据え付けた門形の足場枠ユニット３０を具備し、足場枠ユニット３０は既設の地中構造物の外側に据え付けた外枠３０ａと、外枠の上部から水平に延出した張出梁３０ｂと、張出梁の自由端に垂下した足場板３３付きの内枠足場３０ｃとを具備し、内枠足場３０ｃは、張出梁を介して地中構造物の内側に垂下されている。【選択図】図２
0003208100.tif 000002
【実用新案登録請求の範囲】
【請求項１】
閉鎖形状を呈するコンクリート製の地中構造物の直下地盤を掘削して沈設しながら地中構造物の上部にコンクリートを現場打ちする地中構造物構築用の足場装置であって
地中構造物を跨いで外側地盤に据え付けられた断面形状が門形を呈する足場枠ユニットを具備し、
前記足場枠ユニットは既設構造物の外側に立設された外枠と、
地中構造物を跨いで前記外枠の上部から水平に延出された張出梁と、
前記張出梁の自由端に垂下された足場板付きの内枠足場とを具備し、
前記張出梁を介して地中構造物の内側に内枠足場が垂下されていることを特徴とする、
地中構造物構築用の足場装置。
【請求項２】
地中構造物を囲繞するように前記足場枠ユニットが地中構造物に沿って連続して配置されていることを特徴とする、請求項１に記載の地中構造物構築用の足場装置。
【請求項３】
前記地中構造物の外側地盤に敷設された基板を更に含み、前記基板に足場枠ユニットの外枠が固定されていることを特徴とする、請求項１又は２に記載の地中構造物構築用の足場装置。
【請求項４】
前記足場枠ユニットが複数の縦材と横材と水平材の組み合わせで構成されていることを特徴とする、請求項１乃至３の何れか一項に記載の地中構造物構築用の足場装置。
【請求項５】
前記複数の縦材と横材と水平材が単管パイプであることを特徴とする、請求項４に記載の地中構造物構築用の足場装置。
【考案の詳細な説明】
【技術分野】
【０００１】
本考案は地下式立体駐輪場、地下式立体駐車場、又は有害物質埋設施設等のコンクリート製の地中構造物構築用の足場装置に関し、特に複数の掘削装置により地中構造物の底部の直下地盤を掘削しながら地中構造物の躯体を増築するための足場装置に関するものである。
【背景技術】
【０００２】
出願人は閉鎖形状を呈する地中構造物の底部の直下地盤を掘削して地中構造物を沈降させる工程と、地中構造物の躯体を増築する工程を繰り返しながら地中構造物を沈設するための自走式の掘削装置を先に提案した(特許文献１〜３)。
一般的なコンクリート構造物であれば、相対向して配置する内外一対の型枠と、型枠を支える支保工と、内外一対の足場枠ユニットとを使用してコンクリート躯体を構築している。
特許文献４にはコンクリート構造物の内外に足場板付きの足場枠ユニットに型枠を一体に結合した型枠装置が開示されていて、コンクリート構造物の内外に配置した複数組の型枠装置を使用してコンクリート躯体を構築している。
【先行技術文献】
【特許文献】
【０００３】
【特許文献１】特開２００１−２０２９３号公報
【特許文献２】特開２００２−１２１７４４号公報
【特許文献３】特開２０１１−１７１６１号公報
【特許文献４】特開平６−１３６９３８号公報
【考案の概要】
【考案が解決しようとする課題】
【０００４】
従来の地中構造物の構築技術にはつぎのような改善すべき点がある。
＜１＞外型枠は地上を利用して型枠の組み立て及び解体を行える。
これに対して内型枠は、地表から離れた内側地盤に立設した足場枠ユニットを利用して行うことになるが、内側地盤の掘り下げに伴って大量の足場枠ユニットを組み足して高さを高くしなければならず、施工コストが高騰化する。
＜２＞内側地盤に足場枠ユニットを据え付けたままであると、足場枠ユニットが内側地盤の掘削作業や排土作業の障害となる。
＜３＞内側地盤の掘削作業と排土作業の邪魔にならないように、内側の足場枠ユニットの組み立てと撤去を繰り返すことも考えられるが、多くの時間とコストがかかり実現性に乏しい。
【０００５】
本考案は以上の点に鑑みて成されたもので、その目的とするところは、内側地盤の掘削作業や排土作業に悪影響を与えずに、低コストに地中構造物の躯体を構築できる、地中構造物構築用の足場装置を提供することにある。
【課題を解決するための手段】
【０００６】
本考案は、閉鎖形状を呈するコンクリート製の地中構造物の直下地盤を掘削して沈設しながら地中構造物の上部にコンクリートを現場打ちする地中構造物構築用の足場装置であって地中構造物を跨いで外側地盤に据え付けられた断面形状が門形を呈する足場枠ユニットを具備し、前記足場枠ユニットは既設構造物の外側に立設された外枠と、地中構造物を跨いで前記外枠の上部から水平に延出された張出梁と、前記張出梁の自由端に垂下された足場板付きの内枠足場とを具備し、前記張出梁を介して地中構造物の内側に内枠足場が垂下されている。
本考案の他の形態において、地中構造物を囲繞するように前記足場枠ユニットが地中構造物に沿って連続して配置されている。
本考案の他の形態において、前記地中構造物の外側地盤に敷設された基板を更に含み、前記基板に足場枠ユニットの外枠が固定されている。
本考案の他の形態において、前記足場枠ユニットが複数の縦材と横材と水平材の組み合わせで構成されている。
本考案の他の形態において、前記複数の縦材と横材と水平材が単管パイプで構成されている。
【考案の効果】
【０００７】
本考案はつぎの何れかひとつの効果を奏する。
＜１＞地中構造物の外側地盤から反力を得て作業用の内枠足場を地中構造物の内側に垂下できるので、内側地盤の掘削作業や排土作業に悪影響を与えずに、低コストに地中構造物の躯体を増築することができる。
＜２＞断面形状が門形を呈する足場枠ユニットを地中構造物の片側の外側地盤に据え付けるだけで地中構造物の増築工事に対応できるので、地中構造物の両側に足場装置を個別に据え付ける必要がなくなる。
＜３＞足場装置を据え付けたまま地中構造物の沈設作業を行えるので、足場装置の組み立てと解体を繰り返す必要がなくなる。
＜４＞足場装置に単管パイプを用いれば、軽量で組み立て簡単な低コストの足場装置を提供できる。
【図面の簡単な説明】
【０００８】
【図１】一部を省略した地中構造物構築用の足場装置の斜視図
【図２】沈設初期における地中構造物と足場装置の縦断面図
【図３】地中構造物の増築時における地中構造物と足場装置の縦断面図
【図４】脱型後における地中構造物と足場装置の縦断面図
【考案を実施するための形態】
【０００９】
以下に図面を参照しながら本考案について詳細に説明する。
【００１０】
＜１＞地中構造物
地中構造物５０はその水平断面形状が例えば矩形、多角形、円形、楕円形等を呈するコンクリート製の函体で、その躯体厚や全体寸法は地中構造物５０の使途に応じて適宜選択する。
【００１１】
＜２＞地中構造物構築用の足場装置
図１を参照して説明すると、地中構造物構築用の足場装置１０は、地中構造物５０の外側地盤Ｇ１に敷設した基板２０と、地中構造物５０を跨いで立設可能なように断面形状が門形を呈する足場枠ユニット３０とを具備していて、足場枠ユニット３０が転倒しないように足場枠ユニット３０の基部が基板２０等に固定されている。
【００１２】
＜３＞基板
基板２０は足場枠ユニット３０の外枠３０ａを固定するための極厚鋼板等の板体であり、地中構造物５０を囲繞するように地中構造物５０に沿って敷設してある。
足場枠ユニット３０の転倒防止手段としては、基板２０に重量を付与するか、又はアンカーピン等で基板２０を外側地盤Ｇ１に固定するか、或いはこれらを併用する。
基板２０は必須ではなく、基板２０を省略して足場枠ユニット３０の外枠３０ａを外側地盤Ｇ１に直接固定してもよい。
足場枠ユニット３０の外枠３０ａの固定手段は、足場枠ユニット３０の転倒モーメントを考慮して適宜選択する。
【００１３】
＜４＞足場枠ユニット
足場枠ユニット３０は既設構造物５０の外側に立設される外枠３０ａと、外枠３０ａの上部から水平に延出した張出梁３０ｂと、張出梁３０ｂの自由端に垂下した内枠足場３０ｃとを具備する。
地中構造物５０を間に挟んで、地中構造物５０の外側に外枠３０ａが位置すると共に、地中構造物５０の内側に内枠足場３０ｃが位置する。
これら外枠３０ａ、張出梁３０ｂ、及び内枠足場３０ｃは、例えば単管パイプ等の軽量な複数の鋼材を縦横方向及び水平方向に向けて配置し、各鋼材の交差部をクランプ等の固定具で固定して立体的に組み立てられている。
鋼材以外に公知の建枠を組み合せて使用することも可能である。
【００１４】
＜４．１＞外枠
外枠３０ａは張出梁３０ｂを介して内枠足場３０ｃを垂下するための剛性枠体である。
外枠３０ａは間隔を隔てて立設した複数の縦材３１ａと、縦材３１ａの上部間を水平に横架した複数の横材３２ａとを具備し、これらの鋼材を組み合せて立体的に組み立てられている。
各縦材３１ａは少なくとも地中構造物５０の打継ぎ高さより長い全長を有する。
各縦材３１ａの下端は基板２０に溶接又はボルト止めにより一体に固定してある。
【００１５】
＜４．２＞内枠足場
内枠足場３０ｃは地中構造物５０の内側位置に垂下された作業足場である。
内枠足場３０ｃは少なくとも間隔を隔てて立設した複数の縦材３１ｃと、縦材３１ｃの上部間と下部間を水平に横架した複数の横材３２ｃと、最下段の横材３２ｃの間に連続的に架け渡した複数の足場板３３とを有する。
内枠足場３０ｃの下部側面には転落防止用の手すり材３４を設けておく。
足場板３３には公知のフック付き足場パネルの他に合板等を適用できる。
【００１６】
＜４．３＞張出梁
張出梁３０ｂは外枠３０ａと内枠足場３０ｃの上部間を連結可能な全長を有する曲げ耐力に優れた梁部材である。
本例では張出梁３０ｂが複数の水平材３１ｂで構成する場合について示すが、トラス構造の梁部材を使用することも可能である。
【００１７】
［足場装置の使用例］
つぎに足場装置１０の使用例について説明する。
【００１８】
＜１＞足場装置の設置
図２は地中構造物５０の底部に設けた自走式の掘削装置４０が直下地盤を掘削して地中構造物５０を打継ぎ予定深度まで沈設した沈設初期の状態を示している。
以下に足場装置１０の組み立て方法について説明する。
【００１９】
＜１．１＞基板の敷設
地中構造物５０に接近させて外側地盤Ｇ１に基板２０を敷設する。
【００２０】
＜１．２＞足場枠ユニットの組み立て
本例では地中構造物５０に沿って足場枠ユニット３０を現場で組み立てる形態について説明するが、予めスパン単位で製作した足場枠ユニット３０の分割体をクレーンで吊り込んで現場で組み立てて設置してもよい。
【００２１】
図２を参照して足場枠ユニット３０の組み立て方法について説明すると、基板２０上に複数の縦材３１ａと横材３２ａを立体的に組み立てて外枠３０ａを完成させる。
外枠３０ａの各縦材３１ａの下端を基板２０又は外側地盤Ｇ１に固定する。
【００２２】
つぎに外枠３０ａの上部から地中構造物５０を越えて複数の水平材３１ｂを延出する。
最後に水平に張り出した水平材３１ｂの自由端側に複数の縦材３１ｃと横材３２ｃを組み付けると共に、足場板３３等を取り付けて内枠足場３０ｃを完成させる。
地中構造物５０の沈設初期は、外側地盤Ｇ１と掘削地盤Ｇ２の高低差が少ないため、掘削地盤Ｇ２を利用して内枠足場３０ｃを手作業で組立てできる。
【００２３】
＜２＞地中構造物の躯体の増築
図３を参照して地中構造物５０の上部への躯体の増築方法について説明する。
【００２４】
＜２．１＞配筋、型枠組立て
足場装置１０を使用して地中構造物５０の上部へ鉄筋５１を配筋すると共に、内型枠５２と外型枠５３を相対向して組み立て、各型枠５２，５３の外方に図示しない支保工を取り付ける。
内枠足場３０ｃに複数の作業員が載っても足場枠ユニット３０が転倒しないように足場枠ユニット３０の外枠３０ａが基板２０又は外側地盤Ｇ１に固定されているので、鉄筋工や内型枠５２の組立て作業を安全に行える。
しかも足場枠ユニット３０が複数の鋼材を組み合せただけのスケルトン構造を呈するため、長尺鉄筋等の建設資材の搬入がし易い。
【００２５】
＜２．２＞コンクリート打設と脱型
内型枠５２と外型枠５３の内部へコンクリート５４を打設して地中構造物５０を上方へ増築する。
コンクリート５４の強度が発現したら、所定の養生期間を経たら、足場装置１０を使用して内型枠５２と外型枠５３を脱型する。
図４は打継ぎした脱型後における地中構造物５０の躯体上部の断面を示している。
【００２６】
＜３＞掘削と地中構造物の増築
型枠装置１０は脱型を完了しても撤去せずに据付けたままにしておき、次回の地中構造物５０の増築時に使用する。
基板２０又は外側地盤Ｇ１に支持された足場枠ユニット３０の内枠足場３０ｃが地中構造物５０の内側上位に垂下されているので、掘削地盤Ｇ２の掘削作業や排土作業に悪影響を与えることがない。
【符号の説明】
【００２７】
１０・・・・・足場装置
２０・・・・・基板
３０・・・・・足場枠ユニット
３０ａ・・・・足場枠ユニットの外枠
３０ｂ・・・・足場枠ユニットの張出梁
３０ｃ・・・・足場枠ユニットの内枠足場
３３・・・・・足場板
３４・・・・・手すり材
４０・・・・・自走式の掘削装置
５０・・・・・地中構造物
５１・・・・・鉄筋
５２・・・・・内型枠
５３・・・・・外型枠
【図１】
0003208100.tif 000003
【図２】
0003208100.tif 000004
【図３】
0003208100.tif 000005
【図４】
0003208100.tif 000006